(57)【要約】【課題】  ドリップが発生せず、甘えびの呈味成分の含有量が高く、長期保存性および安全性に優れ、新鮮さが維持されており、解凍後、生食として食すことができる冷凍むき甘えびおよびその製造方法の提供。【解決手段】  原料冷凍殻付き甘えびをチルド解凍庫内に放置して、原料冷凍殻付き甘えびの表面近傍を解凍して殻剥き可能とするが、中心部は未だ解凍されていない状態に半解凍し、殻剥きを行い、必要に応じて、味付け、菌繁殖防止のために冷却した塩水をかけた後、適宜まとめて、超低温下で急速凍結する。超低温凍結した冷凍むき甘えび１を吸水紙を用いることなくプラスチックフィルム３で密封包装することにより課題を解決できる。【選択図】  図１
2005130812.tif 000002
【特許請求の範囲】
【請求項１】
下記の特性（１）〜（３）を備えていることを特徴とする冷凍むき甘えび。
（１）解凍条件に係わらずドリップが発生しない。
（２）旨味成分やグリシン、グルタミン酸に代表される甘えびの呈味成分の含有量が高く、原料甘えび中に含まれる呈味成分の含有量に近い。
（３）長期保存性および安全性に優れ、新鮮さが維持されており、解凍後、生食として食すことができる。
【請求項２】
吸水紙を用いることなく包装されていることを特徴とする請求項１記載の冷凍むき甘えび。
【請求項３】
下記の工程（１）〜（８）を含む工程により請求項１あるいは請求項２記載の冷凍むき甘えびを製造することを特徴とする冷凍むき甘えびの製造方法。
（１）冷凍庫中の原料冷凍殻付き甘えびをチルド解凍庫内へ移す。
（２）原料冷凍殻付き甘えびをチルド解凍庫内に放置して、原料冷凍殻付き甘えびの表面近傍を解凍して殻剥き可能とするが、中心部は未だ解凍されていない状態に半解凍する。
（３）必要に応じて冷却した清水をかけて半解凍状態を維持しながら雑菌を洗い流す。
（４）半解凍した甘えびの殻剥きを行う。
（５）殻剥きした甘えびに、必要に応じて、味付け、菌繁殖防止のために冷却した塩水をかける。
（６）適宜まとめて、超低温下で急速凍結する。
（７）超低温凍結させて得られた冷凍むき甘えびを吸水紙を用いることなくプラスチックフィルムで密封包装する。
（８）必要に応じて、さらにプラスチックバッグで密封包装し、箱詰めし、冷凍庫に保管する。
【請求項４】
庫内温度０〜４℃のチルド解凍庫内に６〜７時間放置して、原料冷凍殻付き甘えびの表面近傍を解凍し、中心部温度が−３〜−５℃の範囲になるように半解凍することを特徴とする請求項３記載の冷凍むき甘えびの製造方法。
【請求項５】
−５０℃以下の超低温下で１０〜２０分間で急速凍結することを特徴とする請求項３あるいは請求項４記載の冷凍むき甘えびの製造方法。
【請求項６】
中心部温度が−３５〜−４０℃の範囲になるように急速凍結することを特徴とする請求項５記載の冷凍むき甘えびの製造方法。
【発明の詳細な説明】
【技術分野】
【０００１】
本発明は、冷凍むき甘えびおよびその製造方法に関するものであり、さらに詳しくは、解凍してもドリップが発生せず、甘えびの呈味成分の含有量が高く、長期保存性および安全性に優れ、新鮮さが維持されており、解凍後、生食として食すことができる美味しい冷凍むきみ甘えびおよびその製造方法に関するものである。
【背景技術】
【０００２】
従来、殻付き生甘えびを食塩水につけて味付けした後、ボイルし、冷却し、殻などを除き、真空パック包装して、真空パック包装した状態で凍結させたものがある（例えば、特許文献１参照）。
最近は北欧産の冷凍殻付き甘えびなどが容易に入手できるようになったので、この冷凍殻付き甘えびを原料として冷凍むき甘えびの製造が行われている。
従来の冷凍むき甘えびの製造方法を図３に示す。
先ず、冷凍庫中の原料冷凍殻付き甘えびを取り出し、約１５℃の清水を約５分間かけて解凍する。次いで、解凍した甘えびの殻剥きを行った後、約１５℃の清水をかけて雑菌や異物を洗い流す。計量後、吸水紙を敷いたプラスチックトレー上にトレー１個当たり９〜１１ｇになるように適宜まとめて、−３０℃のトンネルフリーザーで２０分間で凍結する。凍結させて得られた冷凍むき甘えび上にプラスチックフィルムをかけ、真空パック包装する。真空パック包装したトレーをさらにプラスチックバッグで密封包装し、トレーを適宜の数まとめて箱詰めし、冷凍庫に保管し、必要に応じて出荷する。
【０００３】
従来の冷凍むき甘えびの製造方法によると、原料冷凍殻付き甘えびの解凍時に清水をかけたり、解凍した甘えびの殻剥きを行った後、再び清水をかけて雑菌や異物を洗い流したりするので、旨味成分やグリシン、グルタミン酸に代表される甘えびの呈味成分が洗い流されてその含有量が低下して美味しさが損なわれる問題があった。
また従来の冷凍むき甘えびの製造方法によると、−３０℃のトンネルフリーザーで２０分間で凍結するという緩慢凍結方法を用いているため、むき甘えびの細胞膜が破壊されたり、あるいは細胞ないし細胞膜が損傷を受ける場合が生じる。細胞膜が破壊されたり、あるいは細胞ないし細胞膜が損傷を受けても凍結中は細胞内の前記呈味成分は流出しないが、解凍することによって、前記呈味成分を含むドリップが発生し、呈味成分が流出するという問題があった。呈味成分が流出すると美味しさが損なわれる上、外観が悪化して商品価値が低下する問題があった。
そこで真空パック包装内にこのドリップを吸収する吸水紙を設置することが行われていた。
【０００４】
図４は真空パック包装した従来の冷凍むき甘えびの断面を模式的に示す説明図である。図４において、１０は従来の真空パック包装した冷凍むき甘えび、２はプラスチックトレー、３はプラスチックフィルム、４は冷凍むき甘えび５の解凍時などにおいてでるドリップを吸収するための吸水紙である。
【特許文献１】特許第３３１６６２８号公報
【発明の開示】
【発明が解決しようとする課題】
【０００５】
従来の冷凍むき甘えびの製造方法によると、旨味成分やグリシン、グルタミン酸に代表される甘えびの呈味成分が洗い流されてその含有量が低下して美味しさが損なわれる問題があるとともに、緩慢凍結方法を用いているため、解凍することによって呈味成分を含むドリップが発生し、呈味成分が流出する問題があり、呈味成分が流出すると美味しさが損なわれる上、外観が悪化して商品価値が低下するので、真空パック包装内にこのドリップを吸収する吸水紙を設置することが行われていた。
【０００６】
本発明の第１の目的は、解凍条件に係わらずドリップが発生せず、旨味成分やグリシン、グルタミン酸に代表される甘えびの呈味成分の含有量が高く、長期保存性および安全性に優れ、新鮮さが維持されており、解凍後、生食として食すことができる冷凍むき甘えびを提供することであり、
本発明の第２の目的は、このような優れた冷凍むき甘えびを容易に経済的に製造する方法を提供することである。
【課題を解決するための手段】
【０００７】
本発明の請求項１は、下記の特性（１）〜（３）を備えていることを特徴とする冷凍むき甘えびである。
（１）解凍条件に係わらずドリップが発生しない。
（２）旨味成分やグリシン、グルタミン酸に代表される甘えびの呈味成分の含有量が高く、原料甘えび中に含まれる呈味成分の含有量に近い。
（３）長期保存性および安全性に優れ、新鮮さが維持されており、解凍後、生食として食すことができる。
【０００８】
本発明の請求項２は、請求項１記載の冷凍むき甘えびにおいて、吸水紙を用いることなく包装されていることを特徴とする。
【０００９】
本発明の請求項３は、下記の工程（１）〜（８）を含む工程により請求項１あるいは請求項２記載の冷凍むき甘えびを製造することを特徴とする冷凍むき甘えびの製造方法である。
（１）冷凍庫中の原料冷凍殻付き甘えびをチルド解凍庫内へ移す。
（２）原料冷凍殻付き甘えびをチルド解凍庫内に放置して、原料冷凍殻付き甘えびの表面近傍を解凍して殻剥き可能とするが、中心部は未だ解凍されていない状態に半解凍する。
（３）必要に応じて冷却した清水をかけて半解凍状態を維持しながら雑菌を洗い流す。
（４）半解凍した甘えびの殻剥きを行う。
（５）殻剥きした甘えびに、必要に応じて、味付け、菌繁殖防止のために冷却した塩水をかける。
（６）適宜まとめて、超低温下で急速凍結する。
（７）超低温凍結させて得られた冷凍むき甘えびを吸水紙を用いることなくプラスチックフィルムで密封包装する。
（８）必要に応じて、さらにプラスチックバッグで密封包装し、箱詰めし、冷凍庫に保管する。
【００１０】
本発明の請求項４は、請求項３記載の冷凍むき甘えびの製造方法において、庫内温度０〜４℃のチルド解凍庫内に６〜７時間放置して、原料冷凍殻付き甘えびの表面近傍を解凍し、中心部温度が−３〜−５℃の範囲になるように半解凍することを特徴とする。
【００１１】
本発明の請求項５は、請求項３あるいは請求項４記載の冷凍むき甘えびの製造方法において、−５０℃以下の超低温下で１０〜２０分間で急速凍結することを特徴とする。
【００１２】
本発明の請求項６は、請求項５記載の冷凍むき甘えびの製造方法において、中心部温度が−３５〜−４０℃の範囲になるように急速凍結することを特徴とする。
【発明の効果】
【００１３】
本発明の請求項１の冷凍むき甘えびは、（１）解凍条件に係わらずドリップが発生せず、（２）旨味成分やグリシン、グルタミン酸に代表される甘えびの呈味成分の含有量が高く、原料甘えび中に含まれる呈味成分の含有量に近く含まれており、（３）長期保存性および安全性に優れ、甘えびの美しい外観、色、美味しさ、新鮮さが維持されており、解凍後、生食として食すことができるという顕著な効果を奏する。
【００１４】
本発明の請求項２は、請求項１記載の冷凍むき甘えびにおいて、吸水紙を用いることなくプラスチックフィルムなどで密封包装されていることを特徴とするものであり、従来市販されている冷凍むき甘えびは、解凍時にドリップが発生して呈味成分が流出して美味しさが損なわれる上、外観が悪化して商品価値が低下するので、これを防止するため真空パック包装内に吸水紙を設置していたが、本発明の冷凍むき甘えびは、解凍条件に係わらずドリップが発生しないので、旨味成分やグリシン、グルタミン酸に代表される甘えびの呈味成分が流出することがなく、吸水紙を使用する必要がない。
【００１５】
本発明の請求項３は、前記の工程（１）〜（８）を含む冷凍むき甘えびの製造方法であり、原料冷凍殻付き甘えびをチルド解凍庫内に放置して、原料冷凍殻付き甘えびの表面近傍を解凍して殻剥き可能とするが、中心部は未だ解凍されていない状態に半解凍した甘えびの殻剥きを行い、原料冷凍殻付き甘えびの解凍時に清水をかけたり、解凍した甘えびの殻剥きを行った後、再び清水をかけて雑菌や異物を洗い流したりしないので、旨味成分やグリシン、グルタミン酸に代表される甘えびの呈味成分が洗い流されることがなく、また、超低温下で急速凍結するためむき甘えびの細胞膜が破壊されたり、細胞ないし細胞膜が損傷を受けないので、解凍条件に係わらずドリップが発生せず、旨味成分やグリシン、グルタミン酸に代表される甘えびの呈味成分の含有量が高く維持されるなどの特性を有する本発明の優れた冷凍むき甘えびを容易に経済的に製造できるという顕著な効果を得ることができる。
【００１６】
本発明の請求項４の製造方法によると、庫内温度０〜４℃のチルド解凍庫内に６〜７時間放置して、原料冷凍殻付き甘えびの表面近傍を解凍し、中心部温度が−３〜−５℃の範囲になるように半解凍するので、前記特性を有する本発明の優れた冷凍むき甘えびを確実に容易に製造できるというさらなる顕著な効果を得ることができる。
【００１７】
本発明の請求項５の製造方法によると、−５０℃以下の超低温下で１０〜２０分間で急速凍結するので、むき甘えびの細胞膜が破壊されたり、細胞ないし細胞膜が損傷を受けたりするのをより確実に防止できるというさらなる顕著な効果を得ることができる。
【００１８】
本発明の請求項６の製造方法によると、中心部温度が−３５〜−４０℃の範囲になるように急速凍結するので、むき甘えびの細胞膜が破壊されたり、細胞ないし細胞膜が損傷を受けたりするのをさらに確実に防止できるというさらなる顕著な効果を得ることができる。
【発明を実施するための最良の形態】
【００１９】
以下、本発明をさらに詳細に説明する。
本発明における甘えびは、食用の甘えび類を全て包含する。
【００２０】
図１は、本発明の冷凍むき甘えびの製造工程の一実施形態を示す説明図である。
図２は、本発明の冷凍むき甘えびを真空パック包装する工程を模式的に示す説明図である。
図１に示したように、工程（１）で先ず冷凍庫中の原料冷凍殻付き甘えびをチルド解凍庫内へ移す。
そして工程（２）で、原料冷凍殻付き甘えびをチルド解凍庫内に放置して、原料冷凍殻付き甘えびの表面近傍を解凍して殻剥き可能とするが、中心部は未だ解凍されていない状態に半解凍する。
【００２１】
チルド解凍庫の庫内温度は０〜４℃の範囲が好ましい。下限値の０℃未満では原料冷凍殻付き甘えびの表面近傍を解凍できない恐れがあるので好ましくない。しかし実際には庫内温度には多少バラツキがあり、例えば約−２℃となる箇所もでてくるが、下限値の中心値が０℃であれば原料冷凍殻付き甘えびの表面近傍を解凍できるので許容される。上限値が４℃を超えると原料冷凍殻付き甘えびの表面近傍を解凍するとともに中心部も解凍する恐れがあるので好ましくない。前記のように実際には庫内温度には多少バラツキがあり、例えば約５℃となる箇所もでてくるが、上限値の中心値が４℃であれば原料冷凍殻付き甘えびの表面近傍を解凍して殻剥き可能にするが、中心部は未だ解凍されていない半解凍状態にすることができる。
【００２２】
チルド解凍庫内の放置時間は６〜７時間が好ましい。６時間未満では原料冷凍殻付き甘えびの表面近傍を解凍して殻剥き可能にできない恐れがあり、逆に７時間を超えると原料冷凍殻付き甘えびの表面近傍を解凍して殻剥き可能にするとともに中心部も解凍する恐れがあるので好ましくない。
【００２３】
解凍時の甘えびの中心部温度は、中心部が充分に良好に未解凍であるとともに、原料冷凍殻付き甘えびの表面近傍が解凍されて容易に殻剥き可能かどうかに係わる要因であるので重要である。甘えびの中心部温度は、外部らか甘えびの身体の中心部に温度計を挿入して計測される温度であり、−３〜−５℃の範囲が好ましい。
−５℃未満では中心部が凍結しているとともに原料冷凍殻付き甘えびの表面近傍が未解凍の部分があるなどにより殻剥きが容易にできない恐れがある。しかし実際には中心部温度には多少測定バラツキがあり、例えば約−６℃となる箇所もでてくるが、中心値が−５℃であれば許容される。逆に中心部が−３℃を超えると原料冷凍殻付き甘えびの表面近傍が解凍して殻剥きが容易になるとともに中心部も解凍する恐れがあるので好ましくない。上記のように実際には中心部温度には多少測定バラツキがあるので、例えば約−２℃となる箇所もでてくるが、中心値が−３℃であれば許容される。
【００２４】
チルド解凍庫内の風は強制循環させたりして、原料冷凍殻付き甘えびに直接当てない方が均一に半解凍できるので好ましい。
【００２５】
このようにして工程（２）で、原料冷凍殻付き甘えびをチルド解凍庫内に放置して、原料冷凍殻付き甘えびの表面近傍を解凍して殻剥き可能とするが、中心部が未だ解凍されていない状態にすると、後の工程（４）で手作業などで容易に殻剥きできるようになるとともに、ドリップが外部に流出しないので甘えびの旨味成分やグリシン、グルタミン酸に代表される甘えびの呈味成分が失われない。
工程（２）は低温において行うので雑菌の繁殖を防止できる。
【００２６】
そして工程（３）で、必要に応じて工程（２）で半解凍した殻付き甘えびに冷却した清水（約１５℃程度）をシャワーにして約１分程度かけて万一付着した雑菌や異物などを洗い流す。この時、甘えびの中心部温度が約１℃程上昇するが、重要なことは半解凍状態を維持しながら行うことである。冷却した清水をかけても中心部が未だ解凍されていない状態を維持すると、前記のようにドリップが外部に流出しないので甘えびの呈味成分が失われない。
【００２７】
そして、工程（４）で、半解凍した甘えびの殻剥きを行う。殻剥きは除頭、除足、徐尾などを含む。半解凍した原料冷凍殻付き甘えびは表面近傍が解凍してあり、中心部は未だ解凍されていない状態であるので、手作業などで容易に殻剥きできるとともに、ドリップが外部に流出しない。
【００２８】
そして工程（５）で、殻剥きした甘えびに、必要に応じて、味付け、菌繁殖防止のために冷却した濃度約３質量％塩水（約１℃程度）を少量サッとかける。
【００２９】
そして工程（６）で、適宜まとめて、超低温下で急速凍結する。ここで超低温下で急速凍結する前に、殻剥きした甘えびの表面に水が付着していないように低温の状態で充分水切りしておくことが重要である。殻剥きした甘えびの表面の水切りが不十分であるとそのまま凍結して表面に氷が付着した状態になり、製品解凍時に融けて流出し、あたかもドリップがでたようになり商品価値が低下するとともに呈味成分を取り去る恐れがある。
具体的には、例えば、計量後、適宜まとめて、例えば甘えびの場合９〜１１ｇ（約５匹）程度の塊りにして、それを多数プラスチックトレー上に並べて、例えば−７０℃の超低温のトンネルフリーザーで１０〜２０分間で連続的に急速凍結する。
【００３０】
むき甘えびの細胞膜を破壊したり、細胞ないし細胞膜に損傷を与えるのを確実に防止するには、凍結時の温度は−５０℃以下の超低温が好ましく、−７０℃以下がさらに好ましい。むき甘えびの中心部温度が１０〜２０分以内で−３５〜−４０℃の範囲になるように短時間で凍結させることが好ましい。
【００３１】
甘えびの中心部温度が−３５〜−４０℃の範囲になるように急速凍結すると、むき甘えびの細胞膜が破壊されたり、細胞ないし細胞膜が損傷を受けたりするのをさらに確実に防止できる。
【００３２】
このように超低温下で急速凍結された本発明の冷凍むき甘えびは、細胞膜が破壊されておらず、細胞ないし細胞膜が損傷を受けていないので、解凍条件に係わらずドリップが発生せず、旨味成分やグリシン、グルタミン酸に代表される甘えびの呈味成分の含有量が高く維持される。
【００３３】
そして工程（７）で、超低温凍結させて得られた冷凍むき甘えびを公知の方法で包装する。本発明の冷凍むき甘えびは、解凍条件に係わらずドリップが発生しないので、包装するにあたり吸水紙を用いなくてもよい。
【００３４】
図２（イ）〜（ホ）は本発明の冷凍むき甘えびを真空パック包装する工程を模式的に示す説明図である。
図２（イ）に示すような多数の貫通する孔６を備えた型７の上方から殻むきした甘えびを矢印方向に供給すると、（ロ）に示すように孔６を通過した甘えびは９〜１１ｇ（約５匹）程度の塊り５Ａになり、プラスチックトレー２上に並べられる。そして、（ハ）においてこのトレー２を例えば−７０℃の超低温の図示しないトンネルフリーザー中に導入して甘えび塊り５Ａを１０分間で急速凍結し、（ニ）に示すようにトレー２上に多数の凍結した甘えび塊り５が配置された状態にする。次いでエアガンで霜を吹き飛ばして霜取りした後、（ホ）に示すようにプラスチックトレー２上の多数の凍結した甘えび塊り５の上にプラスチックフィルム３をかけて公知の装置、方法により真空パック包装して包装された本発明の冷凍むき甘えび１を得る。
次いで異物検査した後、本発明の包装された冷凍むき甘えび１を１つずつさらに図示しないプラスチックバッグに入れてヒートシールして密封包装し、図示しないが段ボール箱などに箱詰めし、図示しない冷凍庫（例えば−３０℃）内に貯蔵する。そして必要に応じて出荷する。
【００３５】
本発明において、上記の各工程は手作業で行っても、バッチ式装置で行ってもコンベアベルトなどを用いて連続的に行っても、あるいはこれらの組み合わせで行ってもよく、特に限定されないが、生食可能な食品を扱うので衛生面に充分配慮することが肝要である。
【００３６】
甘えび類のエキス中にはアミノ酸、アミノ酸が２、３個結合したペプチド、有機酸、有機塩基、ヌクレオチド、糖類のような有機物や無機物が含まれている。これらの中でもアミノ酸は重要な呈味成分であり、ヌクレオチドはそれ自身味はないがアミノ酸の呈味性を強めて旨味を与える作用があり、糖類は甘みやとろみに関係がある。
アミノ酸としてはグリシン、アルギニン、プロリンなどのＬ−アミノ酸が含まれており、グリシン、アラニン、セリン、トレオニン、プロリン、ヒドロキシプロリン、グルタミンなどが甘味系アミノ酸であり、バリン、ロイシン、イソロイシン、メチオニン、フェニルアラニン、トリプトファン、アルギニン、アルギニン塩酸塩、ヒスチジン、リシン塩酸塩などが苦味系アミノ酸であり、ヒスチジン塩酸塩、アスパラギン、アスパラギン酸、グルタミン酸などが酸味系アミノ酸であり、アスパラギン酸ナトリウム、グルタミン酸ナトリウムなどが旨味系アミノ酸であることが知られている。
そして、これらの呈味成分の複雑な相互作用の結果甘えびの旨味が生じるものと考えられる。
これらの呈味成分の中でも、美味な甘えびほど特にグリシンやグルタミン酸が多く、グリシンやグルタミン酸の少ないものは味が劣る。
【００３７】
以下本発明を実施例および比較例により、具体的に説明するが、本発明は実施例に限定されるものではない。
【実施例１】
【００３８】
工程（１）で冷凍北欧産殻付き甘えび１ｋｇを庫内温度０℃のチルド解凍庫内へ移し、工程（２）で、前記チルド解凍庫内に４２０分間放置して原料冷凍殻付き甘えびの中心部温度−４℃とし、原料冷凍殻付き甘えびの表面近傍を解凍して殻剥き可能とするが、中心部は未だ解凍されていない状態に半解凍した。
次いで、工程（３）で水温約１５℃の冷却した清水を１分間かけて原料冷凍殻付き甘えびの中心部温度−１．５℃とし、半解凍状態を維持しながら雑菌を洗い流した。そして工程（４）で半解凍した甘えびの殻剥きを行った。次いで、工程（５）で約１℃の３質量％塩水を約２リッター程度サッとかけて、味付け、菌繁殖防止を行った。
そして工程（６）で、計量後、多数の貫通孔を有する型を通して９〜１１ｇ（約５匹）程度の塊りにして、それを多数プラスチックトレー上に並べて、−７０℃の超低温のトンネルフリーザーで２０分間で急速凍結した。高圧エアガンで霜を吹き飛ばした後、工程（７）で超低温凍結させて得られた冷凍むき甘えびを包装した。
【００３９】
得られた本発明の冷凍むき甘えびの品質試験を下記の試験方法で行い、結果を表１に製造条件および解凍条件とともに示した。
【００４０】
（試験方法）
（イ）ドリップの発生
得られた冷凍むき甘えびを、表に示した温度（℃）、時間（分）で解凍し、ドリップの発生量を測定した。２００ｇむき甘えびを包装した１個のプラスチックトレー上に発生したドリップ量（ｇ）を測定し、むき甘えび全体（２００ｇ）に対する割合（ドリップ量／２００ｇ）×１００質量％で表した。
（２）成分分析
液体クロマトグラフ（日立社製）によりグリシンおよびグルタミン酸の含有量を測定した。測定結果を、可食部１００ｇに対するグリシンおよびグルタミン酸の含有量（ｍｇ）で表した。
（３）官能試験
２０人のパネラーにより解凍したむき甘えびを食し、食した結果を甘みおよび味について下記の５段階評価を行った。
甘み：
５：かなり甘い
４：甘い
３：並
２：甘みを感じない
１：甘みが全くしない
味：
５：かなり美味しい
４：美味しい
３：並
２：まずい
１：非常にまずい
【００４１】
[実施例２〜５]
表１に示した製造条件で本発明の冷凍むき甘えびを作り、表１に示した解凍条件で解凍し、実施例１と同様にして製品品質を評価した結果を表１に示す。
【００４２】
（比較例１）
冷凍北欧産殻付き甘えび１ｋｇに、水温約１５℃の清水を５分間かけて原料冷凍殻付き甘えびの中心部温度−１．５℃とした。次いで、甘えびの殻剥きを行った。次いで計量後、多数の貫通孔を有する型を通して９〜１１ｇ（約５匹）程度の塊りにして、それを多数プラスチックトレー上に並べて、−３０℃の低温のトンネルフリーザーで２０分間で凍結した。高圧エアガンで霜を吹き飛ばした後、冷凍むき甘えびを包装した。
実施例１と同様にして製品品質を評価した結果を表２に示す。
【００４３】
（比較例２〜８）
表２に示した製造条件で比較の冷凍むき甘えびを作り、表２に示した解凍条件で解凍し、実施例１と同様にして製品品質を評価した結果を表２に示す。
【００４４】
（比較例９）
工程（１）で冷凍北欧産殻付き甘えび１ｋｇを庫内温度−０．５℃のチルド解凍庫内へ移し、工程（２）で、前記チルド解凍庫内に４２０分間放置して原料冷凍殻付き甘えびの中心部温度−３．５℃とし、原料冷凍殻付き甘えびの表面近傍を解凍して殻剥き可能とするが、中心部は未だ解凍されていない状態に半解凍した。
次いで、工程（３）で水温約１５℃の冷却した清水を１分間かけて原料冷凍殻付き甘えびの中心部温度−２℃とし、半解凍状態を維持しながら雑菌を洗い流した。そして工程（４）で半解凍した甘えびの殻剥きを行った。次いで、工程（５）で約１℃の３質量％塩水を約２リッター程度サッとかけて、味付け、菌繁殖防止を行った。
そして工程（６）で、計量後、多数の貫通孔を有する型を通して９〜１１ｇ（約５匹）程度の塊りにして、それを多数プラスチックトレー上に並べて、−３０℃のトンネルフリーザーで２０分間で凍結した。高圧エアガンで霜を吹き飛ばした後、工程（７）で凍結させて得られた比較の冷凍むき甘えびを包装した。
得られた比較の冷凍むき甘えびを表２に示した解凍条件で解凍し、実施例１と同様にして製品品質を評価した結果を表２に示す。
【００４５】
（比較例１０〜１２）
表２に示した製造条件で比較の冷凍むき甘えびを作り、表２に示した解凍条件で解凍し、実施例１と同様にして製品品質を評価した結果を表２に示す。
【００４６】
（参考例）
冷凍北欧産殻付き甘えびを解凍した後、素早く実施例１と同様にして成分分析を行いグリシンおよびグルタミン酸の含有量を測定した。その結果、グリシン含有量＝８５５（ｍｇ／２００ｇ）であり、グルタミン酸含有量（ｍｇ／２００ｇ）＝３５であった。
【００４７】
【表１】
2005130812.tif 000003
【００４８】
【表２】
2005130812.tif 000004
【００４９】
表１から、実施例１〜５の本発明の冷凍むき甘えびはドリップが全く発生せず、成分分析の結果グリシン、グルタミン酸の含有率が高く、原料甘えび中に含まれる呈味成分の含有量に近く含まれており、そして官能試験を行った結果、甘みがかなりあり、美味しいことが判る。
それに対して表２から、比較例１〜１２の比較のための冷凍むき甘えびはドリップが発生し、成分分析の結果グリシン、グルタミン酸の含有率が低く、そして官能試験を行った結果、甘みおよび味が劣ることが判る。
【産業上の利用可能性】
【００５０】
本発明の冷凍むき甘えびは、（１）解凍条件に係わらずドリップが発生せず、（２）旨味成分やグリシン、グルタミン酸に代表される甘えびの呈味成分の含有量が高く、原料甘えび中に含まれる呈味成分の含有量に近く含まれており、（３）長期保存性および安全性に優れ、新鮮さが維持されており、解凍後、生食として食すことができるので、産業上の利用価値が高い。
【図面の簡単な説明】
【００５１】
【図１】本発明の冷凍むき甘えびの製造工程の一実施態様を模式的に示す説明図である。
【図２】本発明の冷凍むき甘えびを真空パック包装する工程を模式的に示す説明図である。
【図３】従来の冷凍むき甘えびの製造工程を模式的に示す説明図である。
【図４】真空パック包装した従来の冷凍むき甘えびの断面説明図である。
【符号の説明】
【００５２】
１  本発明の冷凍むき甘えび
２  プラスチックトレー
３  プラスチックフィルム
４  吸水紙
５  凍結した甘えび塊り
５Ａ  甘えび塊り
６  孔
７  型
１０  従来の冷凍むき甘えび
【図１】
2005130812.tif 000005
【図２】
2005130812.tif 000006
【図３】
2005130812.tif 000007
【図４】
2005130812.tif 000008